(57)【要約】【課題】充電に関するユーザの煩わしさを軽減すること。【解決手段】ウェアラブルコンピュータ１０は、装着者の体温を用いて発電する体温発電装置１９と、振動発電装置２０と、制御部１１とを備える。制御部１１は、装着者が睡眠中か否かを判定する判定部と、動作モードを高消費電力モードと低消費電力モードとから選択する動作モード選択部とを有する。動作モード選択部は、少なくとも判定部によって睡眠中であると判定されている期間において低消費電力モードを選択する。体温発電装置１９は、少なくとも判定部によって睡眠中であると判定されている期間において、発電を行い、振動発電装置２０は、少なくとも判定部によって睡眠中ではないと判定されている期間において発電を行う。【選択図】図１
2018013970.tif 000002
【特許請求の範囲】
【請求項１】
装着者の体温を用いて発電する体温発電装置と、
前記体温発電装置とは異なる他の発電装置と、
前記装着者が睡眠中か否かを判定する判定部と、
動作モードを高消費電力モードと低消費電力モードから選択する動作モード選択部と、
を具備し、
前記動作モード選択部は、少なくとも前記判定部によって睡眠中であると判定されている期間において低消費電力モードを選択し、
前記体温発電装置は、少なくとも前記判定部によって睡眠中であると判定されている期間において発電を行い、
前記他の発電装置は、少なくとも前記判定部によって睡眠中ではないと判定されている期間において発電を行うウェアラブルコンピュータ。
【請求項２】
前記体温発電装置は、前記判定部によって睡眠中であると判定されている期間以外においても発電を行う請求項１に記載のウェアラブルコンピュータ。
【請求項３】
前記装着者の体温を検出する温度センサを備え、
前記判定部は、前記温度センサによる温度変化に基づいて前記装着者が睡眠中か否かを判定する請求項１に記載のウェアラブルコンピュータ。
【請求項４】
時計部を更に備え、
前記判定部は、前記時計部の現在時刻が予め設定されている入眠時刻から覚醒時刻までの間に該当する場合に、前記装着者が睡眠中であると判定する請求項１に記載のウェアラブルコンピュータ。
【請求項５】
モーションセンサを備え、
前記判定部は、前記モーションセンサからの信号に基づいて前記装着者が睡眠中であると判定する請求項１に記載のウェアラブルコンピュータ。
【請求項６】
照度センサを備え、
前記判定部は、前記照度センサによって検出された照度が予め設定された所定の照度以下の状態が所定期間継続した場合に、前記装着者が睡眠中であると判定する請求項１に記載のウェアラブルコンピュータ。
【請求項７】
前記低消費電力モードは、サスペンドモード、ハイバネーションモード、及び前記判定部による判定に関する機能以外の動作を停止させる睡眠モードのいずれか一つである請求項１に記載のウェアラブルコンピュータ。
【請求項８】
前記他の発電装置は、振動によって発電する振動発電装置である請求項１に記載のウェアラブルコンピュータ。
【請求項９】
装着者の体温を用いて発電する体温発電装置と、
前記装着者が睡眠中か否かを判定する判定部と、
前記判定部によって睡眠中であると判定された場合に、現在の動作モードを低消費電力モードとする動作モード選択部と、
を具備し、
前記体温発電装置は、少なくとも前記判定部によって睡眠中であると判定されている期間において、発電を行うウェアラブルコンピュータ。
【請求項１０】
前記体温発電装置とは異なる他の発電装置を更に備える請求項９に記載のウェアラブルコンピュータ。
【発明の詳細な説明】
【技術分野】
【０００１】
本発明は、ウェアラブルコンピュータに関するものである。
【背景技術】
【０００２】
従来、ユーザの腕に装着する時計型のウェアラブルコンピュータが知られている。このような時計型のウェアラブルコンピュータは、一般的に、充電コードや専用の充電スタンド等を介して電源と接続することで充電される。
【発明の概要】
【発明が解決しようとする課題】
【０００３】
ウェアラブルコンピュータは、携帯電話機などの携帯型の情報処理端末に比べて小型化、軽量化が求められる。そのため、搭載される二次電池の容量が制限される傾向にあり、携帯電話機等に比べて継続使用時間が短い。それゆえ、充電を比較的頻繁に行う必要があり、ユーザに煩わしさを与えるおそれがある。
【０００４】
本発明は、このような事情に鑑みてなされたものであって、充電に関するユーザの煩わしさを軽減することのできるウェアラブルコンピュータを提供することを目的とする。
【課題を解決するための手段】
【０００５】
本発明の一態様は、装着者の体温を用いて発電する体温発電装置と、前記体温発電装置とは異なる他の発電装置と、前記装着者が睡眠中か否かを判定する判定部と、動作モードを高消費電力モードと低消費電力モードから選択する動作モード選択部と、を具備し、前記動作モード選択部は、少なくとも前記判定部によって睡眠中であると判定されている期間において低消費電力モードを選択し、前記体温発電装置は、少なくとも前記判定部によって睡眠中であると判定されている期間において発電を行い、前記他の発電装置は、少なくとも前記判定部によって睡眠中ではないと判定されている期間において発電を行うウェアラブルコンピュータである。
【０００６】
本発明の他の一態様は、装着者の体温を用いて発電する体温発電装置と、前記装着者が睡眠中か否かを判定する判定部と、前記判定部によって睡眠中であると判定された場合に、現在の動作モードを低消費電力モードとする動作モード選択部とを具備し、前記体温発電装置は、少なくとも前記判定部によって睡眠中であると判定されている期間において、発電を行うウェアラブルコンピュータである。
【図面の簡単な説明】
【０００７】
【図１】本発明の一実施形態に係るウェアラブルコンピュータのハードウェア構成の一例を示した図である。
【図２】本発明の一実施形態に係る制御部が備える機能を展開して示した機能ブロック図である。
【図３】一日の体温変化の典型的な例を示した図である。
【図４】本発明の一実施形態に係るウェアラブルコンピュータの動作モードと、発電状態と、装着者の状態とを対応させて示した図である。
【図５】判定部の他の態様を示した図である。
【図６】判定部の他の態様を示した図である。
【図７】判定部の他の態様を示した図である。
【図８】判定部の他の態様を示した図である。
【発明を実施するための形態】
【０００８】
以下に、本発明の一実施形態に係るウェアラブルコンピュータについて、図面を参照して説明する。ウェアラブルコンピュータ１０は、人体に装着した状態で利用可能な携帯型のコンピュータシステムであり、例えば、装着者の腕に装着する時計型のウェアラブルコンピュータや、装着者の頭部に装着するヘッドマウント型のウェアラブルコンピュータが一例として挙げられる。
【０００９】
図１は、本発明の一実施形態に係るウェアラブルコンピュータ１０のハードウェア構成の一例を示した図である。図１に示すように、ウェアラブルコンピュータ１０は、制御部１１、入力部１２、表示部１３、通信部１４、モーションセンサ１５、温度センサ１６、時計部１７、二次電池１８、体温発電装置１９、振動発電装置２０等を備えている。これら各部は、バス３０を介して電気的に相互に接続されている。
【００１０】
制御部１１は、例えば、ＣＰＵ（Ｃｅｎｔｒａｌ  Ｐｒｏｃｅｓｓｉｎｇ  Ｕｎｉｔ）２１、ＣＰＵ２１が実行するプログラム等を記憶するための補助記憶装置２２、メインメモリ２３を備えている。
補助記憶装置２２は、コンピュータ読取可能な記録媒体であり、例えば、一般的には、磁気ディスク、光磁気ディスク、ＣＤ−ＲＯＭ、ＤＶＤ−ＲＯＭ、半導体メモリ等であるが、ウェアラブルコンピュータ１０においては、その筐体サイズを考慮して半導体メモリが適している。
メインメモリ２３は、例えば、キャッシュメモリ、ＲＡＭ（Ｒａｎｄｏｍ  Ａｃｃｅｓｓ  Ｍｅｍｏｒｙ）等の書き込み可能なメモリで構成され、ＣＰＵ２１の実行プログラムの読み出しや実行プログラムによる処理データの書き込み等を行う作業領域として利用される。
【００１１】
入力部１２は、ユーザが入力操作を行うためのユーザインターフェースであり、例えば、後述する表示部１３と一体化されたタッチパネルとして実現される。
表示部１３は、例えば、液晶表示装置であり、制御部１１の制御に従って表示を行う。
モーションセンサ１５は、例えば、３軸加速度センサ、ジャイロセンサ、及び地磁気センサの少なくとも１つを含み、ウェアラブルコンピュータ１０の基本姿勢に対する３軸方向の傾きや動き等を検出することで、装着者の動きを検出する。
【００１２】
温度センサ１６は、例えば、装着者の体温を検出する。
モーションセンサ１５及び温度センサ１６によって検出されたセンサ信号は、制御部１１に出力され、各種処理に用いられる。
【００１３】
体温発電装置１９は、装着者の体温を用いて発電を行う装置であり、例えば、装着者の体温と外気温との温度差で発電するペルティエ素子を備えている。体温発電装置１９によって発電された電力は、二次電池１８に貯蔵される。体温発電装置１９は、少なくとも後述する判定部３１（図２参照）によって装着者が睡眠中であると判定されている期間において発電を行う。好ましくは、体温発電装置１９は、装着者が睡眠中であると判定されている期間以外においても発電を行うとよく、より好ましくは、装着者の体温を用いて発電を行える限りにおいて常に発電を行うとよい。
振動発電装置２０は、振動を用いて発電を行う装置であり、例えば、装着者の動きによって生じた振動を用いて発電する。振動発電装置２０は、少なくとも後述する判定部３１（図２参照）によって装着者が睡眠中ではないと判定されている期間に、振動による発電が行える範囲で発電を行う。振動発電装置２０によって発電された電力は二次電池に貯蔵される。
【００１４】
図２は、上記制御部１１が備える機能を展開して示した機能ブロック図である。図２に示すように、制御部１１は、判定部３１と、動作モード選択部３２とを備えている。制御部１１の補助記憶装置２２（図１参照）には、これら各部の機能を実現するための一連の処理手順がプログラムとして記述されており、ＣＰＵ２１が補助記憶装置２２からメインメモリ２３に各種プログラムを読み出し、実行することにより、後述する各部の機能を実現する。
【００１５】
判定部３１は、装着者が睡眠中か否かを判定する。具体的には、判定部３１は、温度センサ１６によって検出された装着者の体温の変化に基づいて装着者が睡眠中か否かを判定する。
図３は、一日の体温変化の典型的な例を示した図である。図３に示すように、朝から夜にかけて緩やかに上昇し、夜の入眠時から朝の覚醒時の少し前にかけて急激に低下し、その後また、緩やかに上昇を始める。図３に示すように、睡眠中と覚醒中とでは、体温の変化の特性が明らかに異なる。したがって、装着者の体温を検出し、検出した体温の時間的変化の特性から覚醒中なのか睡眠中なのかを判定することが可能である。
【００１６】
判定部３１は、例えば、温度センサ１６によって検出された温度から所定期間内における温度の変化率を算出し、算出した温度の変化率の絶対値が所定の判定閾値以上であり、かつ、温度が低下する傾向を示していた場合に、装着者が睡眠中であると判定する。なお、体温は個人差があるため、例えば、試験的に数日間に渡って装着者の体温を時刻情報と共に記録し、記録した体温の履歴から判定閾値をカスタマイズすることとしてもよい。
【００１７】
また、判定部３１は、上記判定条件に代えて、温度センサ１６によって検出された温度が所定回数に渡って連続して低下傾向を示していた場合に、睡眠中と判定することとしてもよい。なお、睡眠中か否かを判定する判定条件は上記例に限定されず、図３に示すような特性に基づいて適宜設定すればよい。
【００１８】
動作モード選択部３２は、判定部３１によって睡眠中であると判定された場合に、現在の動作モードを低消費電力モードとする。具体的には、動作モード選択部３２は、高消費電力モードと低消費電力モードとを含む複数の動作モードの中から、少なくとも判定部３１によって睡眠中であると判定されている期間において、低消費電力モードを選択する。
低消費電力モードは、少なくとも表示部１３及び通信部１４の動作が停止されるモードである。低消費電力モードは、例えば、サスペンドモード、ハイバネーションモード、及び睡眠モードのいずれか一つである。睡眠モードは、例えば、睡眠中か否かを判定するために必要とされる機能のみを動作状態として維持し、それ以外の機能は動作停止状態とするモードである。睡眠モードでは、例えば、温度センサ１６と、制御部１１とを動作させ、それ以外の構成の動作を停止させる。
また、高消費電力モードは、低消費電力モードよりも消費電力が大きなモードであり、表示部１３及び通信部１４のうち少なくともいずれか一方が動作状態となるモードである。
【００１９】
動作モード選択部３２は、判定部３１によって睡眠中であると判定された場合に、現在の動作モードが予め設定された低消費電力モードでなければ（例えば、通常動作モード等）、動作モードを低消費電力モードに切り替え、また、現在の動作モードが低消費電力モードであれば、そのモードを維持する。
【００２０】
次に、本実施形態に係るウェアラブルコンピュータ１０の充電に関する動作について図１及び図２を参照して説明する。
例えば、体温発電装置１９及び振動発電装置２０は、常に動作状態とされており、発電可能な状況下において発電し、発電電力が二次電池１８に貯蔵される。
また、温度センサ１６は装着者の体温を定期的に検出し、検出した温度を制御部１１に出力する。制御部１１の判定部３１は、例えば、温度センサ１６から受信した温度と過去に受信した少なくとも１つの温度とを用いて装着者の温度変化率を算出し、算出した温度の変化率の絶対値が所定の判定閾値以上であり、かつ、温度が低下する傾向を示していた場合に、装着者が睡眠中であると判定する。
【００２１】
動作モード選択部３２は、判定部３１によって装着者が睡眠中であると判定された場合に、現在の動作モードを低消費電力モードとする。これにより、ウェアラブルコンピュータ１０は、判定部３１によって睡眠中であると判定されている期間において、低消費電力モードに設定される。
【００２２】
そして、例えば、装着者によって入力部１２から低消費電力モードの解除を促す操作（例えば、電源ボタンが押下される等）がされた場合、装着者が覚醒したことを示すので、動作モード選択部３２は、低消費電力モードを解除し、現在の動作モードを入力操作に応じたモード、例えば、通常モード（高消費電力モード）に切り替える。
なお、低消費電力モードを解除するタイミングとしては、上記例に限られない。例えば、覚醒後は、装着者が活動することとなるので、モーションセンサ１５によって動きが検出されることとなる。したがって、モーションセンサ１５によって継続的に動きが検出される場合に、低消費電力モードを解除することとしてもよい。この場合、低消費電力モードにおいて、モーションセンサ１５も動作していることが条件となる。
【００２３】
以上説明してきたように、本実施形態に係るウェアラブルコンピュータ１０によれば、図４に示すように、装着者の睡眠中において、動作モードが低消費電力モードに設定される。これにより、睡眠中の電力消費を抑制することができ、体温発電装置１９が発電したほとんどの電力が負荷によって消費されることなく、二次電池１８に貯蔵されることとなる。これにより、装着者が目覚めたときには、二次電池１８を満充電に近い状態とすることが可能となる。よって、充電のための特別な準備を行うことなく、二次電池１８を充電することができ、ユーザの充電に関する煩わしさを軽減することが可能となる。
また、本実施形態に係るウェアラブルコンピュータ１０によれば、体温発電装置１９と、体温発電装置１９以外の他の発電装置である振動発電装置２０とを備え、他の発電装置である振動発電装置２０の発電量が低下する睡眠中に、消費電力を抑制するとともに体温発電を行うので、振動発電装置２０による発電量の低下を補うことが可能となる。
【００２４】
更に、本実施形態に係るウェアラブルコンピュータ１０によれば、判定部３１が温度センサ１６の計測値を用いて睡眠中か否かを判定する。この温度センサ１６は、体温発電装置１９の制御にも用いられる。したがって、体温発電装置１９に付随して設けられている温度センサ１６による計測情報を用いて判定部３１が判定処理を行うことで、睡眠中か否かを判定するための専用のセンサを追加で設ける必要がなく、装置の大型化やコストの増大を回避することができる。
【００２５】
なお、上述した本実施形態では、体温発電装置以外の発電装置として振動発電装置２０を備えていたが、振動発電装置２０に限らず、他の発電装置を備えていてもよい。また、体温発電装置１９以外の発電装置は必須の要件ではなく、体温発電装置以外の発電装置を備えていない構成も取り得る。
【００２６】
なお、本実施形態に係るウェアラブルコンピュータ１０では、判定部３１が装着者の体温を用いて入眠および覚醒を判定していたが、これに限らず、他の判定基準を用いて装着者が睡眠中であるか否かを判定することとしてもよい。
【００２７】
例えば、図５に示すように、判定部３１ａは、時計部１７から受信する時刻情報に基づいて装着者が睡眠中か否かを判定することとしてもよい。この場合、例えば、入眠時刻と覚醒時刻とを予め設定しておき、判定部３１ａは、時計部１７から受信する時刻が入眠時刻から覚醒時刻までの時間帯である場合に、睡眠中と判定する。ここで、入眠時刻と覚醒時刻とは装着者の生活リズムに応じて適宜変更されてもよい。例えば、入眠や覚醒は、上述したように体温に基づいて推定することができるから、時刻と体温とを記録しておき、その履歴に基づいて入眠時刻と覚醒時刻とを調整してもよい。また、装着者が入眠時刻及び覚醒時刻を設定可能な構成としてもよい。あるいは、時計の目覚まし機能がセットされた場合には、目覚ましのアラーム時間として設定された時刻を覚醒時刻として用いてもよい。
【００２８】
また、例えば、図６に示すように、判定部３１ｂは、モーションセンサ１５によって検出される動作情報を用いて装着者が睡眠中か否かを判定することとしてもよい。例えば、モーションセンサ１５の検出結果から寝返りに対応する動作が検出された場合に、装着者が睡眠中であると判定することとしてもよい。
【００２９】
また、例えば、図７に示すように、ウェアラブルコンピュータ１０は、照度センサ４０を更に備え、判定部３１ｃは、照度センサ４０によって検出された照度情報に基づいて装着者が睡眠中か否かを判定することとしてもよい。例えば、判定部３１ｃは、照度センサ４０から受信する照度が予め設定された所定の照度以下の状態が所定期間継続した場合に、装着者が睡眠中であると判定することとしてもよい。
【００３０】
また、睡眠中は脈拍数（心拍数）が低下する。したがって、図８に示すように、装着者の脈拍数を検出する脈拍センサ４１を更に設け、判定部３１ｄは、脈拍センサ４１によって検出される脈拍に基づいて、装着者が睡眠中か否かを判定することとしてもよい。
例えば、脈拍センサ４１は、装着者の皮膚内の血管に光を照射し、血中のヘモグロビンに吸収されずに反射された光を受光し、その光の量に基づいて単位時間あたりの脈拍数を導出する。判定部３１ｄは、脈拍センサ４１によって計測された脈拍数が所定の閾値以下である場合に、装着者が睡眠中であると判定する。なお、体温と同じく、脈拍数も個人差がある。したがって、装着者の脈拍数の過去の履歴等を用いて、閾値を調整することとしてもよい。
【００３１】
また、判定部３１、３１ａ〜３１ｄの判定条件を適宜組み合わせることにより、装着者が睡眠中か否かを判定することとしてもよい。更に、ユーザが入眠及び覚醒を知らせるための操作部を入力部１２に設け、ユーザによる操作部の操作に基づいて判定部が入眠および覚醒を判定することとしてもよい。
【００３２】
以上、上記実施形態を用いて本発明について説明してきたが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。
【符号の説明】
【００３３】
１０：ウェアラブルコンピュータ
１１、１１ａ〜１１ｄ：制御部
１２：入力部
１３：表示部
１４：通信部
１５：モーションセンサ
１６：温度センサ
１７：時計部
１８：二次電池
１９：体温発電装置
２０：振動発電装置
２１：ＣＰＵ
２２：補助記憶装置
２３：メインメモリ
３１、３１ａ〜３１ｄ：判定部
３２：動作モード選択部
４０：照度センサ
４１：脈拍センサ
【図１】
2018013970.tif 000003
【図２】
2018013970.tif 000004
【図３】
2018013970.tif 000005
【図４】
2018013970.tif 000006
【図５】
2018013970.tif 000007
【図６】
2018013970.tif 000008
【図７】
2018013970.tif 000009
【図８】
2018013970.tif 000010